(57)【要約】【課題】従来の食品用トングは、番部１３の開閉の回転軸の向きが、柄部１２に対してほぼ垂直であり、二本の柄部１２の動きは、内転と外転のみに限定されていた。そこで、二本の柄部１２を握り締めるだけで、柄部１２の内転と外旋が同時に起こる食品掬い取りトングを提供する。【解決手段】番部２３の回転軸２４が柄部２２とほぼ平行になるように、番部２３を二つの柄部前縁２２ａに架橋したことを特徴とする。これにより、二本の柄部１２を閉じ合わせる動作だけで、手部２２が自然に外旋する。【選択図】          図３
2011115545.tif 000002
【特許請求の範囲】
【請求項１】
食品を挟み上げるＵ字形の道具である食品用トングにおいて、
二本の柄部１２を閉じ合わせる動作だけで、手部２２が自然に外旋するように、
番部２３の回転軸２４が柄部２２とほぼ平行になるように、番部２３を柄部前縁２２ａ同士に架橋したことを特徴とする、
食品掬い取りトング。
【請求項２】
上記番部２３として回転軸受け２３ａと回転支軸２３ｂを設けることで蝶番を形成し、
さらに、柄部内面２２ｃ同士を反発弾性体２５で連結したことを特徴とする、
請求項１に記載の食品掬い取りトング。
【発明の詳細な説明】
【技術分野】
【０００１】
本発明は、氷、ケーキ、パスタ、薬味などの食品を挟みながら、掬い取る、Ｕ字形の道具である食品掬い取りトングに関する。
【背景技術】
【０００２】
氷、ケーキ、パスタ、薬味などの食品を挟む、Ｕ字形の道具である食品用トングは、二本の柄部１２と、それぞれの柄部１２の下端に装着した手部１１と、それぞれの柄部１２の上端を連結する番部１３とからなる。多くの場合、番部１３は、柄部１２の上端を架橋する柄部１２と連続したＵ字形の部材であり、その材質が持つ弾性を利用して、手部１１の開閉を補助している。また、一部の食品用トングの番部１３は、柄部１２の上端に設けた回転支軸と回転軸受けを介して二本の柄部１２を連結し、二本の柄部１２の間に反発弾性体を挿入して、手部１１の開閉を補助している。
【０００３】
この構造によって、食品用トングを手に持ち、二本の柄部１２を閉じ合わせようとすると二本の柄部１２は内転し、手部１１が閉じ合わせられる。脱力すれば、二本の柄部１２は弾性により外転し、閉じ合わせられていた手部１１が開かれる仕組みになっている。いずれの場合も、番部１３の開閉の回転軸１４の向きは、柄部１２に対してほぼ垂直な方向である。したがって、二本の柄部１２の動きは、内転と外転のみで、内旋と外旋を伴うことはない。
【発明の概要】
【発明が解決しようとする課題】
【０００４】
従来の食品用トングは、番部１３の開閉の回転軸１４の向きが、柄部１２に対してほぼ垂直であり、二本の柄部１２の動きは、内転と外転のみに限定される。柄部１２を閉じ合わせることにより、手部１１は手部掌側１１ａ同士が向かい合った方向を向いたまま閉じあわせられる。食品用トングで掴もうとする食品は手部掌側１１ａ同士で左右から押さえつけて保持することになる。そのため、従来の食品用トングには次のような欠点があった。掴み上げようとする食品ごとに使用できるトングや器具が別であることが多かった。例をあげれば、スパゲティーと湯豆腐とでは同じトングで摘み上げることが難しかった。また、挟んだ食品を作業の途中でとり落としやすかった。本発明はこれらの欠点を補い、できるだけ多種類の固形食材を取り上げることを可能にするための食品掬い取りトングである。
【課題を解決するための手段】
【０００５】
本発明は、食品を挟み上げるＵ字形の道具である食品用トングにおけるものである。
請求項１に記載の本発明を以下に示す。番部２３の回転軸２４が柄部２２とほぼ平行になるように、番部２３を二つの柄部前縁２２ａに架橋したことを特徴とする。これにより、二本の柄部１２を閉じ合わせる動作（内転させる動作）だけで、手部２２が自然に外旋する。請求項１に記載の本発明は、以上の構造からなる食品掬い取りトングである。
【０００６】
請求項２に記載の本発明は、上記番部２３として回転軸受け２３ａと回転支軸２３ｂを設け、さらに、柄部内面２２ｃ同士を反発弾性体２５で連結したことを特徴とする、請求項１に記載の食品掬い取りトングである。
【０００７】
なお、内外転、内外旋とは医学用語のそれである。下肢の動きに例えれば、逆さＶの字に開いた脚を閉じ合わせる動きが内転、開く動きが外転である。また、両踵同士を付け、足をＶの字に開いた状態において、両踵同士を付けたまま爪先を閉じる動きが内旋、その逆が外旋である。すなわち、膝を少し曲げた状態で立ったとき、外転すれば足の幅が広がり、外旋すればガニ股状の姿になる。本出願の全文中において、内外転、内外旋とは柄部２２と手部２１の動きを人体の脚と足に例えて表現している。
【発明の効果】
【０００８】
本発明の食品掬い取りトングを持ち、二本の柄部２２を閉じ合わせようと力を加えると、番部２３が弾性に逆らいが閉じようとする。番部２３の回転軸２４は柄部２２とほぼ平行であるため、両方の柄部２２とともに両方の手部２１が外旋する。これにより二つの手部２１は、手部上縁２１ｃが遅れて、手部下縁２１ｄが先に接近する。すなわち、二つの手部２１は、手部掌側２１ａを上に、手部甲側２１ｂを下に傾けながら接近する。この動きにより、固形物の食品を挟むだけでなく、掬うという動作も起こすことができ、本発明一つでさまざまな食品に用いることができる。さらに、本発明は構造が非常に簡単であるため、生産コストも抑えることができる。
【図面の簡単な説明】
【０００９】
【図１】「考案が解決しようとする課題」を示した従来のトングの参考斜視図である。一点鎖線は回転軸１４を表したものである。
【図２】「考案が解決しようとする課題」を示した従来のトングの参考斜視図である。手部１１を閉じた状態である。
【図３】請求項１に記載の本発明の斜視図である。一点鎖線は回転軸２４を表したものである。
【図４】請求項１に記載の本発明の斜視図である。手部２１を閉じた状態である。
【図５】請求項１に記載の本発明の平面図である。
【図６】請求項１に記載の本発明の底面図である。
【図７】請求項１に記載の本発明の左側面図である。
【図８】請求項１に記載の本発明の右側面図である。
【図９】請求項２に記載の本発明の斜視図である。
【発明を実施するための形態】
【００１０】
請求項１に記載の本発明の実施するための最良の形態を以下に示す。二つの柄部前縁２２ａの上端近く（手部２１と反対側）を番部２３で架橋する。番部２３の回転軸の方向は柄部２２とほぼ平行であるようにする。許容された方向以外への変形をできるだけ防ぐために番部２３はＸの字型（図５参照）が最も良い。手部２１は、汁物を落とし、固形物だけを拾い上げることができるように、手部下縁２１ｄに櫛状歯２１ｅを設ける。生産コストを抑えるために、手部２１と柄部２２と番部２３を連続した一体の部材で構成するのがよい。
【００１１】
請求項２に記載の本発明の実施するための最良の形態を以下に示す。上記番部２３として回転軸受け２３ａと回転支軸２３ｂを設け、回転軸２４として蝶番を形成する。さらに、二つの柄部２２を柄部内面２２ｃの柄部後縁２２ｂ近くで、反発弾性体２５を用いて連結する。
【符号の説明】
【００１２】
１１      手部
１１ａ    手部掌側
１２      柄部
１３      番部
１４      回転軸
２１      手部
２１ａ    手部掌側
２１ｂ    手部甲側
２１ｃ    手部上縁
２１ｄ    手部下縁
２１ｅ    櫛状歯
２２      柄部
２２ａ    柄部前縁
２２ｂ    柄部後縁
２２ｃ    柄部内面
２３      番部
２３ａ    回転軸受け
２３ｂ    回転支軸
２４      回転軸
２５      反発弾性体
【図１】
2011115545.tif 000003
【図２】
2011115545.tif 000004
【図３】
2011115545.tif 000005
【図４】
2011115545.tif 000006
【図５】
2011115545.tif 000007
【図６】
2011115545.tif 000008
【図７】
2011115545.tif 000009
【図８】
2011115545.tif 000010
【図９】
2011115545.tif 000011
【手続補正書】
【提出日】平成22年8月30日(2010.8.30)
【手続補正１】
【補正対象書類名】明細書
【補正対象項目名】全文
【補正方法】変更
【補正の内容】
【発明の詳細な説明】
【技術分野】
【０００１】
本発明は、氷、ケーキ、パスタ、薬味などの食品を挟みながら、掬い取る、Ｕ字形の道具である食品掬い取りトングに関する。
【背景技術】
【０００２】
氷、ケーキ、パスタ、薬味などの食品を挟む、Ｕ字形の道具である食品用トングは、二本の柄部１２と、それぞれの柄部１２の下端に装着した手部１１と、それぞれの柄部１２の上端を連結する番部１３とからなる。多くの場合、番部１３は、柄部１２の上端を架橋する柄部１２と連続したＵ字形の部材であり、その材質が持つ弾性を利用して、手部１１の開閉を補助している。また、一部の食品用トングの番部１３は、柄部１２の上端に設けた回転支軸と回転軸受けを介して二本の柄部１２を連結し、二本の柄部１２の間に反発弾性体を挿入して、手部１１の開閉を補助している。
【０００３】
この構造によって、食品用トングを手に持ち、二本の柄部１２を閉じ合わせようとすると二本の柄部１２は内転し、手部１１が閉じ合わせられる。脱力すれば、二本の柄部１２は弾性により外転し、閉じ合わせられていた手部１１が開かれる仕組みになっている。いずれの場合も、番部１３の開閉の回転軸１４の向きは、柄部１２に対してほぼ垂直な方向である。したがって、二本の柄部１２の動きは、内転と外転のみで、内旋と外旋を伴うことはない。
【発明の概要】
【発明が解決しようとする課題】
【０００４】
従来の食品用トングは、番部１３の開閉の回転軸１４の向きが、柄部１２に対してほぼ垂直であり、二本の柄部１２の動きは、内転と外転のみに限定される。柄部１２を閉じ合わせることにより、手部１１は手部掌側１１ａ同士が向かい合った方向を向いたまま閉じあわせられる。食品用トングで掴もうとする食品は手部掌側１１ａ同士で左右から押さえつけて保持することになる。そのため、従来の食品用トングには次のような欠点があった。掴み上げようとする食品ごとに使用できるトングや器具が別であることが多かった。例をあげれば、スパゲティーと湯豆腐とでは同じトングで摘み上げることが難しかった。また、挟んだ食品を作業の途中でとり落としやすかった。本発明はこれらの欠点を補い、できるだけ多種類の固形食材を取り上げることを可能にするための食品掬い取りトングである。
【課題を解決するための手段】
【０００５】
本発明は、食品を挟み上げるＵ字形の道具である食品用トングにおけるものである。
【０００６】
請求項１に記載の本発明を以下に示す。番部２３の回転軸２４が柄部２２とほぼ平行になるように番部２３を二つの柄部前縁２２ａに架橋した、二本の柄部２２を閉じ合わせる動作（内転させる動作）だけで、手部２１が自然に外旋するトングにおいて、上記番部２３として回転軸受け２３ａと回転支軸２３ｂを設け、さらに、柄部内面２２ｃ同士を反発弾性体２５で連結したことを特徴とする、食品掬い取りトングである。
【０００７】
なお、内外転、内外旋とは医学用語のそれである。下肢の動きに例えれば、逆さＶの字に開いた脚を閉じ合わせる動きが内転、開く動きが外転である。また、両踵同士を付け、足をＶの字に開いた状態において、両踵同士を付けたまま爪先を閉じる動きが内旋、その逆が外旋である。すなわち、膝を少し曲げた状態で立ったとき、外転すれば足の幅が広がり、外旋すればガニ股状の姿になる。本出願の全文中において、内外転、内外旋とは柄部２２と手部２１の動きを人体の脚と足に例えて表現している。
【発明の効果】
【０００８】
本発明の食品掬い取りトングを持ち、二本の柄部２２を閉じ合わせようと力を加えると、番部２３が反発弾性体２５の弾性に逆らいが閉じようとする。番部２３の回転軸２４は柄部２２とほぼ平行であるため、両方の柄部２２とともに両方の手部２１が外旋する。これにより二つの手部２１は、手部上縁２１ｃが遅れて、手部下縁２１ｄが先に接近する。すなわち、二つの手部２１は、手部掌側２１ａを上に、手部甲側２１ｂを下に傾けながら接近する。この動きにより、固形物の食品を挟むだけでなく、掬うという動作も起こすことができ、本発明一つでさまざまな食品に用いることができる。さらに、本発明は構造が非常に簡単であるため、生産コストも抑えることができる。
【図面の簡単な説明】
【０００９】
【図１】「考案が解決しようとする課題」を示した従来のトングの参考斜視図である。一点鎖線は回転軸１４を表したものである。
【図２】「考案が解決しようとする課題」を示した従来のトングの参考斜視図である。手部１１を閉じた状態である。
【図３】手部２１が外旋する構造をもったトングの斜視図である。一点鎖線は回転軸２４を表したものである。
【図４】手部２１が外旋する構造をもったトングの斜視図である。手部２１を閉じた状態である。
【図５】手部２１が外旋する構造をもったトングの平面図である。
【図６】手部２１が外旋する構造をもったトングの底面図である。
【図７】手部２１が外旋する構造をもったトングの左側面図である。
【図８】手部２１が外旋する構造をもったトングの右側面図である。
【図９】請求項１に記載の本発明の斜視図である。
【発明を実施するための形態】
【００１０】
請求項１に記載の本発明の実施するための最良の形態を以下に示す。
【００１１】
二つの柄部前縁２２ａの上端近く（手部２１と反対側）を回転軸受け２３ａと回転支軸２３ｂを設けた蝶番で架橋する。番部２３である蝶番の回転軸の方向は柄部２２とほぼ平行であるようにする。さらに、二つの柄部２２を柄部内面２２ｃの柄部後縁２２ｂ近くで、反発弾性体２５を用いて連結する。
【符号の説明】
【００１２】
１１      手部
１１ａ    手部掌側
１２      柄部
１３      番部
１４      回転軸
２１      手部
２１ａ    手部掌側
２１ｂ    手部甲側
２１ｃ    手部上縁
２１ｄ    手部下縁
２１ｅ    櫛状歯
２２      柄部
２２ａ    柄部前縁
２２ｂ    柄部後縁
２２ｃ    柄部内面
２３      番部
２３ａ    回転軸受け
２３ｂ    回転支軸
２４      回転軸
２５      反発弾性体
【手続補正２】
【補正対象書類名】特許請求の範囲
【補正対象項目名】全文
【補正方法】変更
【補正の内容】
【特許請求の範囲】
【請求項１】
食品を挟み上げるＵ字形の道具である食品用トングであって、
二本の柄部２２を閉じ合わせる動作だけで、手部２１が自然に外旋するように、
番部２３の回転軸２４が柄部２２とほぼ平行になるように、番部２３を柄部前縁２２ａ同士に架橋したことを特徴とするトングにおいて、
上記番部２３として回転軸受け２３ａと回転支軸２３ｂを設けることで蝶番を形成し、
さらに、柄部内面２２ｃ同士を反発弾性体２５で連結したことを特徴とする、食品掬い取りトング。
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
左右に相対する垂直状の同一形状に成る柄部の先端部を互いに外側方向に突出した弯形状に成る半掬い部を設けるとともにこの内側部には対向して挟み部を設け、前記両柄部の基端部を蝶着して回動し得るように連結し、この蝶着部に隣接して弾機を両柄部間に介装して成ることを特徴とする食品用トング。
【手続補正２】
【補正対象書類名】明細書
【補正対象項目名】全文
【補正方法】変更
【補正の内容】
【発明の詳細な説明】
【技術分野】
【０００１】
本発明は、氷，ケーキ，パスタ，薬味などの食品を挟みかつ掬い取ることができるトングに関するものである。
【背景技術】
【０００２】
従来、各種の食品をはさむ全体が略Ｕ字形に成る食品用トングとしては、次に示す特開２００４−３５１１７５号や実開昭５１−２１６７２号のごときものが存する。
【先行技術文献】
【特許文献】
【０００３】
【特許文献１】特開２００４−３５１１７５号公報
【特許文献２】実開昭５１−２１６７２号公報
【発明の概要】
【発明が解決しようとする課題】
【０００４】
そこで、本発明は、米飯や液体状に近い食品などをも確実に掬い上げることができるトングを提供することにより、従来からのトング固有の機能のみならず、より広範囲の用途に使用されるトングを提供することを目的とするものである。
【課題を解決するための手段】
【０００５】
本発明は、左右に相対する垂直状の同一形状に成る柄部の先端部を互いに外側方向に突出した弯形状に成る半掬い部を設けるとともにこの内側部には対向して挟み部を設け、前記両柄部の基端部を蝶着して回動し得るように連結し、この蝶着部に隣接して弾機を両柄部間に介装して成るものである。
【発明の効果】
【０００６】
第１に、両柄部を片手で把持して任意の食品を挟んで掴み取るときには、両柄部先端部の内側方向に対向する挟み部を寄せ合って掴めばよいから、固体状の食品類を自在に取り上げることができる。
【０００７】
第２に、米飯や豆腐やゼリー等の軟質な食品類を掴み取るときは、両柄部先端部の両挟み部を両方向から互いに組み合うようにすれば、両挟み部に隣接する弯形状の半掬い部が合体するから、このような状態において掬い取ればよいし、液体状の食品も同様にして確実に掬い上げることができる。
【図面の簡単な説明】
【０００８】
【図１】全体の不使用時の斜視図
【図２】全体の使用時の斜視図
【発明を実施するための形態】
【０００９】
本発明に係るトングの使用には、最低２つの場合がある。
【００１０】
一つには調理や食卓において、各種の食品を挟んで移動するために、両柄部を把持し先端の挟み部を合わせて掴み取る場合がある。
【００１１】
二つには調理や食卓において、比較的軟質な食品や液体状の食品を移動するために、両柄部を把持し先端の挟み部の刺し片部が互に係合するまで加圧して両半掴み部を合体する。すると、そこには椀状部が形成されるから、任意の食品を掬い取る場合がある。（図２参照）
【実施例】
【００１２】
１，１は相対する垂直状の同一形状に成る柄部で、この柄部の断面は内側方向にやや弯形した形状に成る。
【００１３】
２，２は前記両柄部１，１の先端部を互いに外側方向に突出した半掬い部で、この半掬い部は前記柄部と同様に内側方向にやや弯形した形状に成る。
【００１４】
３，３は前記両半掬い部２，２の内側部に対向して設けた挟み部で、フォーク状に成る両挟み部は前記柄部１，１を内側方向に作動したとき、食品を挟むようになり、これをさらに作動すれば両挟み部は挟み合う状態になるが、このとき左右の両挟み部の各刺し片は交互に係合して両挟み部に隣接する前記弯形状の両半掴み部は合体するように成る。
【００１５】
４は前記両柄部１，１の半円弧状に成る基端部１’，１’に連結する蝶番で、この蝶番部より適当間隔をおいて両柄部間には弾機５を介装する。
【符号の説明】
【００１６】
１，１ 柄部
１’，１’ 基端部
２，２ 半掬い部
３，３ 挟み部
４ 蝶番
５ 弾機
【手続補正３】
【補正対象書類名】図面
【補正対象項目名】全図
【補正方法】変更
【補正の内容】
【図１】
2011115545.tif 000012
【図２】
2011115545.tif 000013